(57)【要約】【解決手段】銀行券又は他のセキュリティ・ドキュメントは、特に電気式の共振回路（５）が設けられている支持体（１）を有する。この共振回路はセキュリティ・ドキュメントの検査を可能にする。情報を記憶するために、共振回路を用いることもできる。共振回路を印刷技術で製造することは好ましい。
2005525255.tif 000002
【特許請求の範囲】
【請求項１】
印加された電磁界によって励起可能な電気式の共振回路（５）を有することを特徴とするセキュリティ・ドキュメント。
【請求項２】
前記共振回路（５）は、導電層によって形成された少なくとも２つの電極（７ａ，７ｂ）を有するコンデンサ（Ｃ）を具備し、これらの電極は、非導電層（１）によって分離されている、請求項１に記載のセキュリティ・ドキュメント。
【請求項３】
前記セキュリティ・ドキュメントは、紙又は可撓性のプラスチックからなる印刷された支持体（１）を有する、請求項１又は２に記載のセキュリティ・ドキュメント。
【請求項４】
前記電極（７ａ，７ｂ）は、前記支持体（１）の両面に設けられている、請求項２又は３に記載のセキュリティ・ドキュメント。
【請求項５】
前記共振回路（５）は、少なくとも部分的に、導電性の印刷可能な材料からなる、前記すべての請求項のいずれか１に記載のセキュリティ・ドキュメント。
【請求項６】
前記共振回路（５）の、少なくとも１部分が外から目に見える、前記すべての請求項のいずれか１に記載のセキュリティ・ドキュメント。
【請求項７】
前記セキュリティ・ドキュメントは、バインダ（１２）に綴じられた複数のシート（１３）を有し、該共振回路（５）は前記バインダ（１２）内に又は該バインダの表面に設けられており、特に、前記バインダ（１２）は、前記シート（１３）よりも曲げ剛性のある材料からなる、前記すべての請求項のいずれか１に記載のセキュリティ・ドキュメント。
【請求項８】
異なった共振周波数を有する複数の共振回路（５）を具備する、前記すべての請求項のいずれか１に記載のセキュリティ・ドキュメント。
【請求項９】
前記共振回路（５）は、前記セキュリティ・ドキュメントを通って延びている貫通コンタクト（１０）を有する、前記すべての請求項のいずれか１に記載のセキュリティ・ドキュメント。
【請求項１０】
前記共振回路は螺旋状のコイル（６）を有する、前記すべての請求項のいずれか１に記載のセキュリティ・ドキュメント。
【請求項１１】
銀行券としてデザインされている、前記すべての請求項のいずれか１に記載のセキュリティ・ドキュメント。
【請求項１２】
パスポートとして又は身分証明書としてデザインされている、前記すべての請求項のいずれか１に記載のセキュリティ・ドキュメント。
【請求項１３】
前記共振回路（５）は支持層（１４）の裏面に設けられており、該支持層（１４）の前面には、光学式のセキュリティ・マークが設けられており、前記支持層は前記セキュリティ・ドキュメントに取着されている、前記すべての請求項のいずれか１に記載のセキュリティ・ドキュメント。
【請求項１４】
請求項１乃至１１のいずれか１に記載のセキュリティ・ドキュメントからなる、異なった数値を有する銀行券のセットであって、異なった数値には、異なった共振周波数の共振回路（５）が割り当てられている。
【請求項１５】
請求項１乃至１３のいずれか１に記載のセキュリティ・ドキュメントで情報を符号化する方法であって、前記符号化される情報は、１つの共振周波数又は複数の共振周波数及び／又は１つの共振回路又は複数の共振回路（５）の配列を定める。
【請求項１６】
共振周波数又は配列で符号化された前記情報は、前記セキュリティ・ドキュメントに設けられ又は符号化された他の情報（４）と関連しており、前記共振周波数で符号化された情報及び前記他の情報は、セキュリティ・ドキュメントの検査のために、互いに比較されることができる、請求項１５に記載の方法。
【請求項１７】
前記共振回路（５）を、少なくとも部分的に、印刷技術で前記ドキュメントに設けることを特徴とする請求項１乃至１３のいずれか１に記載のセキュリティ・ドキュメントを製造する方法。
【請求項１８】
前記共振回路（５）は前記ドキュメントを通って延びている貫通コンタクト（１０）を有し、該貫通コンタクト（１０）は、前記セキュリティ・ドキュメントにレーザビームによって開口部を形成しかつコンダクタを該開口部に挿入することによって、製造される、請求項１７に記載の方法。
【請求項１９】
紙又は可撓性のプラスチックからなる印刷された支持体（１）と、印加された電磁界によって励起可能な電気式の共振回路（５）と、該共振回路（５）の部分としてのコンデンサ（Ｃ）とを具備し、該コンデンサ（Ｃ）は、導電層によって形成された少なくとも２つの電極（７ａ，７ｂ）を有し、該電極は前記支持体（１）の両面に設けられていてなるセキュリティ・ドキュメント。
【請求項２０】
前記共振回路（５）は、前記支持体（１）を通って延びている貫通コンタクト（１０）を有する、請求項１９に記載のセキュリティ・ドキュメント。
【発明の詳細な説明】
【技術分野】
【０００１】
本願は欧州特許出願第02010143.2号の優先権を主張する。該欧州出願は２００２年５月１３日に提出された。欧州特許出願の全開示内容は、文献によって本願に援用される。
【０００２】
本発明は、セキュリティ・ドキュメント、例えば銀行券と、このようなセキュリティ・ドキュメントで情報を符号化する方法と、セキュリティ・ドキュメントを製造する方法とに関する。
【背景技術】
【０００３】
セキュリティ・ドキュメント、例えば銀行券、小切手、有価証券、パスポート、身分証明書、クレジットカード又は銀行カードは、通常、セキュリティ・ドキュメントの偽造を困難にする機能を有する。例えば、セキュリティ印刷の機能、微孔、ホログラム又は挿入された金属糸は知られている。
【発明の開示】
【発明が解決しようとする課題】
【０００４】
本発明の課題は、明細書導入部に記載されたタイプのセキュリティ・ドキュメントのための他のセキュリティ機能を提供することである。
【課題を解決するための手段】
【０００５】
この課題は、独立請求項の主題によって解決される。
【０００６】
従って、本発明では、セキュリティ・ドキュメントは電気式の共振回路を有する。この共振回路が、印加された交流電磁界によって、共振振動へと励起されることができるのは、フィールド周波数が共振回路の共振周波数にほぼ対応するときである。このことは共振回路を非接触で検出することを可能にする。
【０００７】
共振回路が、少なくとも部分的に、導電性の、印刷可能な材料からなることは好ましい。このことは印刷技術による製造を可能にする。
【０００８】
第１の好ましい実施の形態では、セキュリティ・ドキュメントは銀行券である。
【０００９】
他の好ましい実施の形態では、セキュリティ・ドキュメントは、例えばパスポートの場合に普通であるようにバインダに閉じられている複数のシートを有する。共振回路がバインダ内に又は該バインダの表面に設けられるとき、共振回路が機械的により良く保護されているのは、特に、バインダが、シートよりも曲げ剛性のある材料からなる場合である。
【００１０】
特に頑丈な装置は、共振回路のコンデンサ電極が、セキュリティ・ドキュメントの支持体の両面に設けられているときに、生じる。
【００１１】
異なった共振周波数を有する複数の共振回路も設けられていることができる。このことは偽造防止を高める。この場合、複数の共振回路の複数の共振周波数の間の差周波数も測定することができる。
【００１２】
銀行券の全セットに共振回路を備えることもできる。この場合、共振回路の共振周波数及び／又は配列を、各々の銀行券の数値に従って選択することができる。しかし、セキュリティ・ドキュメントを、例えば、パスポート又は身分証明書としてデザインすることもできる。
【００１３】
銀行券に関して既述のように、共振回路の選択された共振周波数及び／又は配列によって、情報をセキュリティ・ドキュメントで符号化することもできる。共振周波数を他の情報に従って選択することは好ましい。この他の情報は、適切な形で（例えば、符号化した形又は普通テキストで）、セキュリティ・ドキュメントに設けられる。この場合、複数の情報の比較によって、セキュリティ・ドキュメントの、真正か否かのチェックを行なうことができる。
【００１４】
本発明の他の実施の形態、利点及び利用は、従属請求項と、図面を参照した以下の記述とから明らかになる。
【発明を実施するための最良の形態】
【００１５】
図１に示した銀行券は、両面が印刷されている、紙又は可撓性のプラスチックからなる支持体１を有する。この実施の形態では、銀行券には、従来のグラフィック的な要素２，３及び数値表示４が印刷されている。更に、銀行券には、２つの共振回路５が設けられている。
【００１６】
共振回路５の構成は図１及び２から見て取れる。各々の共振回路は、螺旋状のコイル６からなるインダクタンスＬと、電気絶縁性の支持体１の両面に２つの電極７ａ，７ｂを有するコンデンサＣとを具備する。インダクタンスＬ及びコンデンサＣは接続線８，９を介して互いに接続して、電流回路を形成する。接続線８は、支持体１の、コイル６及び電極７ａと同一面にある。接続線９は、電極７ｂと共に、支持体１の反対面に設けられている。コイル６と接続線９との間の接続のためには、支持体１を通って延びている少なくとも１つの貫通コンタクト１０が設けられている。図２から見て取れるように、コイル６、電極７ａ，７ｂ及び接続線８．９は、例えば透明の又は不透明のプラスチックからなる保護層１１によって、保護されていることができる。
【００１７】
インダクタンスＬ及びコンデンサＣは、共振周波数を有する共振回路と共に、
【数１】
2005525255.tif 000003
【００１８】
を形成する。
【００１９】
銀行券が周波数ｆを有する交流電磁界にもたらされるとき、共振回路は、検出されることができる共振における振動へと励起される。このような検出回路は盗難防止装置から知られており、ここでは、詳述される必要はない。
【００２０】
図１から見て取れるように、図示した実施の形態では、大きさが異なり、従って共振周波数も異なる２つの共振回路５が設けられている。このことはドキュメントの偽造防止を高めることを可能にする。同一の周波数を有する複数の共振回路５をドキュメントに設けることも考えられる。このことによって信頼性が高められる。何故ならば、１つの共振回路が損傷した場合でも、まだ共振を検出することができるからである。
【００２１】
異なった数値の券が、共振周波数の異なった共振回路を有することは好ましい。このことは共振周波数によって券の数値を決定することを可能にし、偽造防止を高める。製造国の異なる券を、券の１つの共振回路又は複数の共振回路の共振周波数に基づいて区別することも考えられる。従って、１つの共振回路又は複数の共振回路の共振周波数の選択によって、情報を符号化することができる。符号化された情報は、券の数値の実施の形態のように、セキュリティ・ドキュメントに印刷されているか、他の方法でセキュリティ・ドキュメントに設けられている他の情報と関連のある情報であってもよい。このことは、複数の情報の比較によってドキュメントの真正の検査を可能にする。共振周波数による情報の符号化の代わりに又は該符号化に加えて、共振回路をドキュメントに設けることによっても情報を記憶することができる。
【００２２】
図１に示した実施の形態では、複数の共振回路５は外から見ることができ、視覚による真正か否かのチェックの際にも、考慮される。これらの共振回路は、デザイン要素としても用いることができる。
【００２３】
しかし、共振回路５は、不透明の層１１によって覆われていることができるので、目に見えない。共振回路を、支持体の表面にでなく、支持体１内に設けることもできる。
【００２４】
図１及び２は共振回路の１つの可能な実施の形態を示しているに過ぎない。盗難防止装置の分野からは、本目的のために用いられることができる積層された電気式の共振回路に関する多数の図形が知られている。
【００２５】
共振回路５は、例えばスクリン印刷によって導電性の印刷インキ、すなわち印刷技術によって塗布可能な材料を塗布することによって、製造されることができる。貫通コンタクト１０の製造のためには、導電性の印刷インキの塗布前に、例えばレーザビームによって、１つ又は複数の孔を支持体１に形成することができる。次に、これらの孔に、導電性の印刷インキ又は他の電気コンダクタを満たすことができる。
【００２６】
但し、例えば被覆又はフォイルの形の、他の方法で伝導する構造体を、支持体１に取着するか支持体１に挿入するかによって、共振回路又は該共振回路の部分を形成することも考えられる。更に、共振回路を銀行券とは別個に予め製造し、次に、銀行券に取着することも可能である。
【００２７】
このタイプの実施の形態は図４及び５に示されている。ここでは、共振回路は光学的可変装置（ＯＶＤ）１４の裏面に設けられている。この光学的可変装置は、その前面に、ホログラム又はキネグラム（図示せず）を有する。ホログラム又はキネグラムの支持体は、例えば視角に従って、変化する。共振回路を、光学式に可視のセキュリティ・マークを持った前面を有する支持体の、その裏面に設け、次に、支持体をセキュリティ・ドキュメントに設けることによって、１つの作業段階で、２つのセキュリティ機能（ＯＶＤ及び共振回路）をドキュメントに付けることができる
共振回路によるマークは、すべてのセキュリティ・ドキュメント、例えば、有価証券、証書又はパスポートに適切である。更に、プラスチックカード、例えば身分証明書又はクレジットカードに設けるためにも適切である。
【００２８】
図３は曲げ剛性のバインダ１２と、該バインダ１２に綴じられた複数のシート１３とを有するパスポートを示している。略示するように、この場合、共振回路をバインダ１２に設けることは好ましい。何故ならば、共振回路が、そこでは、損傷に対し最も良く保護されているからである。ここでも、複数の共振回路を設けてもよく及び／又は共振回路の共振周波数が、例えば、交付国と、パスポート番号と及び／又はパスポート所有者の個人データと関連していてもよい。
【００２９】
共振回路をパスポートの「個人用頁」に、すなわち、パスポートの所有者の個人データを含むページに取り付けることも考えられる。
【００３０】
本願には、本発明の好ましい実施の形態が記載されている。しかし、本発明がこれらの実施の形態に限定されず、上記請求項の枠内で他の方法でも実行されることができることを、明瞭に指摘せねばならない。
【図面の簡単な説明】
【００３１】
【図１】２つの共振回路を有する銀行券を示す。
【図２】図１の線ＩＩ−ＩＩに沿った断面図を示す。
【図３】共振回路を有するパスポートを示す。
【図４】他の実施の形態を示す。
【図５】図４の線Ｖ−Ｖに沿った断面図を示す。
【図１】
2005525255.tif 000004
【図２】
2005525255.tif 000005
【図３】
2005525255.tif 000006
【図４】
2005525255.tif 000007
【図５】
2005525255.tif 000008
【国際調査報告】
2005525255.tif 000009
2005525255.tif 000010
2005525255.tif 000011
2005525255.tif 000012